(57)【要約】      （修正有）【課題】難なくドレン排水を行える接続ホースを提供する。【解決手段】接続具３、４を透明なゴム材料によって構成すると共に、締付け確認用表示部を設けたバンド部材３１を締付け動作部材によって引き込むことにより締付け確認用表示部が所定位置に近づいたとき締付け金具２５の締め付け作業を終了すべきことを示すようにしたことによって、安全かつ確実に、接続具３、４を両端に設けたホース本体を空調機のドレン管１０及び排水管１１に接続することができる。【選択図】図１
0003142119.tif 000002
【実用新案登録請求の範囲】
【請求項１】
空調機のドレン管から排出されるドレンを排水管に流すホース本体と、
上記ホース本体の両端に設けられ、上記ホース本体を上記ドレン管及び上記排水管に接続する管状の第１及び第２の接続具と、
上記第１及び第２の接続具がそれぞれ上記ドレン管及び上記排水管に差し込まれた状態において上記第１及び第２の接続具を上記ドレン管及び上記排水管に締め付ける第１及び第２の締付け金具と
を具え、
上記第１及び第２の接続具は、透明なゴム材料によって構成されることによって、上記ドレン管及び上記排水管に差し込まれたとき上記ドレン管及び上記排水管の差込み状態を外部から目視確認できるように構成され、
上記第１及び第２の締付け金具は、バンド部材と、上記バンド部材を筐体に引き込むことにより締め付け動作をする締付け動作部材と、上記バンド部材の長手方向の所定位置に設けられた締付け確認用表示部とを有し、
上記第１又は第２の締付け金具において、締付け確認用表示部は、上記バンド部材が上記締付け動作部材によって引き込まれることにより当該締付け確認用表示部が上記締付け動作部材に対して所定位置に来たとき、上記第１又は第２の締付け金具の締付け作業を終了すべきことを示す
ことを特徴とする接続ホース。
【請求項２】
上記バンド部材には、複数の切欠が長手方向に順次穿設され、
上記締付け動作部材は、上記バンド部材の切欠とかみ合うら旋状歯車によって上記バンド部材を筐体に引き込むことにより上記締め付け動作をする
ことを特徴とする請求項１に記載の接続ホース。
【請求項３】
上記締付け確認用表示部材は、当該締付け確認用表示部材が上記締付け動作部材と重なったとき、上記第１又は第２の締付け金具の締め付け作業を終了すべきことを示す
ことを特徴とする請求項１又は２に記載の接続ホース。
【考案の詳細な説明】
【技術分野】
【０００１】
本考案は接続ホースに関し、空調機のドレン配管に適用して好適なものである。
【背景技術】
【０００２】
空調機のドレン配管には、空調機に設けられているドレン管と、例えば建屋側の排水設備として設けられている排水管との間を接続するドレン配管として接続ホースを用いることが提案されている（特許文献１参照）。
【特許文献１】特開２００７−３３０１３公報
【考案の開示】
【考案が解決しようとする課題】
【０００３】
しかしながら建屋側の排水管の敷設工事や空調機の設置は、実際上、現場合わせによって施工されているので、両者を接続するドレン配管も現場合わせによって行うようになっている。
【０００４】
旧来当該ドレン配管は、建屋の施設として高度な安全性が必要なため、鉄パイプや塩ビパイプを用いたが、両者を無理なく接続することが難しかった。
【０００５】
この点を改善すべく特許文献１に開示のフレキシブルホースが提案されているが、作業の簡易・安全性の点から未だ不十分である。
【０００６】
本考案はかかる点を考慮してなされたもので、建屋側の排水管と空調機側のドレン管との接続作業を一段と簡易かつ確実になし得るようにした接続ホースを提案しようとするものである。
【課題を解決するための手段】
【０００７】
かかる課題を解決するため本考案においては、空調機５２のドレン管１０から排出されるドレンを排水管１１に流すホース本体２と、ホース本体２の両端に設けられ、ホース本体２をドレン管１０及び排水管１１に接続する管状の第１及び第２の接続具３、４と、第１及び第２の接続具３、４がそれぞれドレン管１０及び排水管１１に差し込まれた状態において第１及び第２の接続具３、４をドレン管１０及び排水管１１に締め付ける第１及び第２の締付け金具２５とを具え、第１及び第２の接続具３、４は、透明なゴム材料によって構成されることによって、ドレン管１０及び排水管１１に差し込まれたときドレン管１０及び排水管１１の差込み状態を外部から目視確認できるように構成され、第１及び第２の締付け金具２５は、バンド部材３１と、バンド部材３１を筐体３９に引き込むことにより締め付け動作をする締付け動作部材３３と、バンド部材３１の長手方向の所定位置に設けられた締付け確認用表示部４０とを有し、第１又は第２の締付け金具２５は、締付け確認用表示部４０は、バンド部材３１が締付け動作部材３３によって引き込まれることにより当該締付け確認用表示部４０が締付け動作部材３３に対して所定位置に来たとき、第１又は第２の締付け金具２５の締付け作業を終了すべきことを示すようにする。
【考案の効果】
【０００８】
本考案によれば、接続具を透明なゴム材料によって構成すると共に、締付け確認用表示部を設けたバンド部材を締付け動作部材によって引き込むことにより締付け確認用表示部が所定位置に近づいたとき締付け金具の締め付け作業を終了すべきことを示すようにしたことによって、安全かつ確実に、接続具を両端に設けたホース本体を空調機のドレン管及び排水管に接続することができる。
【考案を実施するための最良の形態】
【０００９】
以下図面について、本考案の一実施の形態を詳述する。
【００１０】
図１において、１は全体として接続ホースを示し、柔軟な合成樹脂材料で構成されたホース本体２の一端にエルボ型接続具３が設けられていると共に、他端にストレート型接続具４が設けられている。
【００１１】
この実施の形態の場合、エルボ型接続具３は天井裏に配設された空調機のドレン管１０に接続されると共に、ストレート型接続部４は建屋の排水設備に接続される排水管１１に接続される。
【００１２】
エルボ型接続具３は、透明ゴム材料によって断面円環状に成形されており、図２に示すように、先端直管部１５と、これに連接する中間曲管部１６と、これに連接する内側直管部１７とを有し、各部の内部空間によってほぼ直角に曲がるドレン通路１８が形成されている。
【００１３】
内側直管部１７の内壁には金属パイプ（又は塩化ビニールパイプ）でなるホース接続部材１９が外方に突出するように接着保持されており、当該ホース接続部材１９の突出端部を利用してホース本体２が接着剤によって接続されている。
【００１４】
先端直間部１５の内部空間１５Ａの内径は、中間曲管部１６の内部空間１６Ａの直径より大きい値に選定され、これにより先端直管部１５が中間曲管部１６に突当たる位置Ｐ１に、突当り段部２０が形成され、かくしてユーザが先端直管部１５の内部空間１５Ａにドレン管１０を差込む作業をしたとき、当該ユーザが、ドレン管１０の先端が突当り段部２０に突き当った位置Ｐ１にあることを、エルボ型接続具３が透明であることを利用して外部から目視確認できるようになされている。
【００１５】
先端直管部１５の外周面には、帯状に締付け金具保持溝２１が穿設され、当該締付け金具保持溝２１に締付け金具２５を取り付ける（図１）ことができるようになされている。
【００１６】
締付け金具２５は、図３に示すように、薄い鋼板でなるバンド部材３１と、バンド部材３１の一端部３２に固着された締付け動作部材３３とで構成されている。
【００１７】
バンド部材３１の他端部３４には幅方向に横長の多数の切欠３５が先端方向に向かって所定の間隔を保ちながら穿設されており、この切欠３５を締付け動作部材３３が、ユーザのハンドル３６の回転動作に応じて噛み込むことより、バンド部材３１の一端部３２及び他端部３４間のバンド部材３１によって円形ループを形成すると共に、当該円形ループの直径をハンドル３６の締付け動作に応じて変えることができるようになされている。
【００１８】
締付け動作部材３３は、図４（Ａ）及び（Ｂ）に示すように、ハンドル３６と一体に回転するシャフト３７の周囲にら旋状に形成された歯車３８を筐体３９内に収納してなり、筐体３９の底板３９Ａに固着金具３９Ｂを介してバンド部材３１の一端部３２に固着される。
【００１９】
バンド部材３１の一端部３２は固着金具３９Ｂからシャフト３７の延長方向に筐体３９から外方に突出すると共に、バンド部材３１の他端部３４が筐体３９の反対側からシャフト３７に沿って一端部３２とシャフト３７との間の空間に導入され、これにより他端部３４に穿設された切欠３５が歯車３８と噛み合うようになされている。
【００２０】
かくしてユーザによってハンドル３６が回転操作されると、シャフト３７上にら旋状に形成された歯車３８が噛み合った切欠をシャフト３７の延長方向に引き込む（又は押し出す）ことにより、バンド部材３１を締付ける（又は緩める）ような動作をする。
【００２１】
バンド部材３１の切欠３５が形成されている他端部３４の表面には、所定の長さ（例えば締付け動作部材３３の長さ）の範囲にわたって締付け確認用表示部４０が形成され、これによりユーザがハンドル３６を締付け操作することにより締付け動作部材３３の歯車３８がバンド部材３１の他端部３４を筐体３９の方向に引き込んで行くとき、締付け確認用表示部４０が筐体３９を先端部分から次第に引込まれて行くことをユーザが目視確認できるようになされている。
【００２２】
かくしてユーザが締付け動作部材３３のハンドル３６を締付け操作するとき、筐体３９に引込まれて行く締付け確認用表示部４０を注目して、当該締付け確認用表示部４０かつその所定部位、例えば内側端部４０Ａが丁度締付け動作部材３３によって隠れる位置まで来たとき、ユーザがハンドル３６に対する締付け動作をやめることにより、バンド部材３１による締付け金具保持溝２１に対する締付け作業を終了させることができるようになされている。
【００２３】
かくして締付け金具２５において、締付け確認用表示部４０は、バンド部材３１が締付け動作部材３３によって引き込まれることにより当該締付け確認用表示部４０が締付け動作部材３３に対して所定位置に来たとき、締付け金具の締付け動作を終了すべきことを、ユーザに示す。
【００２４】
ストレート型接続具４は、図５に示すようにエルボ型接続具３と同様に、透明ゴム材料を断面円環状に成形してなる直管部４５を有し、その内部空間４５Ａに先端側から排水管１１を差込むことができるようになされている。
【００２５】
内部空間４５Ａはこれを閉塞するように閉塞板部４６が形成され、その中央位置にホース本体２に連通する連通孔４６Ａが形成されている。
【００２６】
この実施の形態の場合、連通孔４６Ａの内面には金属パイプでなるホース接続部材４７が接着剤によって固着されており、その突出部分を利用してホース本体２を閉塞板部４６に接着保持している。
【００２７】
ここで、直管部４５の内部空間４５Ａの内径は閉塞板部４６の連通孔４６Ａの内径より大きくなるように選定されており、これにより閉塞板部４６の内表面に突当り段部４８が形成され、かくしてユーザが直管部４５の内部空間４５Ａに排水管１１を差込む作業をしたとき、当該ユーザが、排水管１１の先端が突当り段部４８に突当たった位置Ｐ２にあることを、ストレート型接続具４が透明であることを利用して外部から目視確認できるようになされている。
【００２８】
直管部４５の外周面中央部には直管部４５の全周に亘って帯状の締付け金具保持溝４９が穿設され、当該締付け金具保持溝４９に、図３及び図４について上述した締付け金具２５に嵌め込んで、直管部４５、従ってストレート型接続具４を排水管１１に締付けることができるようになされている。
【００２９】
このストレート型接続具４の締付け金具保持溝４９に対する締付け金具２５の締付け機能は、エルボ型接続具３の締付け金具保持溝２１について上述した締付け金具２５の締付け機能と同様である。
【００３０】
以上の構成において、図６に示すように、天井５１に据付けた空調機５２のドレン管１０に接続ホース１のエルボ型接続具３を接続すると共に、天井裏に敷設された排水管１１に接続ホース１のストレート型接続具４を接続する。
【００３１】
ドレン管１０にエルボ型接続具３を接続する作業において、ユーザは、図７（Ａ）に示すように、ドレン管１０の先端にエルボ型接続具３の先端直管部１５を差込んだ後、締付け金具２５を締付け動作することによりドレン管１０にエルボ型接続具３を接続する。
【００３２】
このときユーザは、エルボ型接続具３が透明ゴム材料で成形されていることにより、ドレン管１０に先端部が先端直管部１５に差込まれて行く状態を目視しながら作業をすることができ、これによりドレン管１０の先端がエルボ型接続具３の突当り段部２０に突当たる差込位置Ｐ１にまで差込まれていることを目視確認できる。
【００３３】
これに対してユーザは、図７（Ｂ）に示すように、ドレン管１０に対する先端直管部１５の差込作業が不十分なために、ドレン管１０の先端が突当り段部２０に突当たらずに手前の差込位置Ｐ１Ｘにある不十分な差込状態にあればこれを難なく目視確認できることにより、締付け金具２５を締付ける前に又は締付けた後にでも再度作業をやり直して、図７（Ａ）に示すように先端を突当たり段部２０に突当たらせた規定どおりの作業を完成させることができる。
【００３４】
これに加えて、先端直管部１５に締付け金具２５を締付ける際には、ユーザは、図８（Ａ）に示すように、バンド部材３１の他端部３４に設けられている締付け確認用表示部４０が締付け動作部材３３の手前にある緩めた状態において締付け金具２５を先端直管部１５の締付け金具保持溝２１に嵌め込んだ後、図８（Ｂ）に示すように、ハンドル３６の操作に応じて他端部３４が締付け動作部材３３に引込まれて行くのを目視確認しながら、締付け金具２５の締付け作業をする。
【００３５】
そして、ユーザは、図８（Ｃ）に示すように、締付け確認用表示部４０が全て締付け動作部材３３の筐体３９に引込まれて締付け確認用表示部４０の内側端部４０Ａが見えなくなったとき、規格どおりの締付け状態に締付け金具２５を設定できたことを難なく確認しながら締付け作業を終了することができる。
【００３６】
また排水管１１にストレート型接続具４を接続する場合も、ユーザは、図９（Ａ）に示すように、ストレート型接続具４が透明材料で形成されていることを利用して排水管１１の先端が直管部４５の突当り段部４８に突当たるのを目視確認しながら排水管１１に対するストレート型接続具４の接続作業をすることができる。
【００３７】
この接続作業の途中で又は終わった後に、図９（Ｂ）に示すように、排水管１１の先端が突当り段部４８の差込位置Ｐ２まで差込まれずに、手前の差込位置Ｐ２Ｘにまでしか差込まれていない場合には、これを難なく目視確認して引き続き接続作業を続ける事により、図９（Ａ）に示すような規定の接続状態まで作業をすることができる。
【００３８】
この場合の締付け金具２５の締付け作業は、図８について上述したと同様に、これもユーザの目視確認のもとで、締付け確認用表示部４０の内側端部４０Ａが締付け動作部材３３に引き込まれて見えなくなるまでハンドル３６を操作することにより、難なくバンド部材３１を排水管１１に対して規定どおりに締付け作業を終了させることができる。
【００３９】
以上の構成によれば、空調機のドレン管１０から配設されるドレンを建屋に敷設された排水管１１に排水させる接続ホース１を接続作業するにつき、エルボ型接続具３及びストレート型接続具４を透明材料で構成するようにしたことにより、エルボ型接続具３及びストレート型接続具４のドレン管１０及び排水管１１への接続作業を、接続状態を作業員が目視確認しながら行うことができると共に、これらのエルボ型接続具３及びストレート型接続具４のドレン管１０及び排水管１１への締付け作業を締付け確認用表示部４０を設けたバンド部材３１を用いて当該締付け確認用表示部４０が締付け動作部材３３に対して所定の位置に来るまで締付け具合を確認しながら締付けることができるようにしたことにより、ドレン管１０及び排水管１１に対して接続ホースを安全かつ確実に接続することできる。
【００４０】
しかもかかる接続作業の仕上げを検査する際には、透明なエルボ型接続具３及びストレート型接続具４を流れるドレンの流れ具合や、締付け金具２５の締付け具合を検査員が目視確認できることにより、検査も一段と確実に行い得る。
【００４１】
なお上述実施の形態においては、ホース本体２の一方にエルボ型接続具３を接続すると共に他端にストレート側接続具４を接続するようにしたが、本考案はこれに限らず、両者共にエルボ型接続具、又はストレート型接続具を用いたり、ドレン管１０にストレート型接続具４を用いたり、排水管１１にエルボ型接続具３を用いるようにしても上述の場合と同様の作用効果を得ることができる。
【００４２】
また上述の実施の形態においては、締付け金具２５の締付け作業を、締付け確認用表示部４０の内側端部４０Ａが見えなくなるまで締付け動作部材３３に引き込んだとき締付け作業が終了したことを示すようにしたが、これに限らず、要は締付け確認用表示部４０との関係で予め決めた所定位置に来たとき、締付け作業が終了したことを示すようにしても、上述の場合と同様の効果を得ることができる。
【００４３】
さらに上述の実施の形態においては、締付け動作部材３３のシャフト３７を回転動作させるにつき、シャフト３７と一体に回転するハンドル３６をユーザが回転操作するようにしたが、これに代え、シャフト３７を「−」ねじ又は「＋」ねじによって構成し、その端面に形成された「−」溝又は「＋」溝にドライバの先端を嵌め込んで当該ドライバをユーザが回転操作することによりシャフト３７を回転させてバンド部材３１を締付ける（又は緩める）ようにしても良い。
【産業上の利用可能性】
【００４４】
空調機のドレン管から排出されるドレンを排水管に排水する場合に適用できる。
【図面の簡単な説明】
【００４５】
【図１】本考案の一実施の形態による接続ホースを示す側面図である。
【図２】図１のエルボ型接続具３の詳細構成を示す縦断面図である。
【図３】図１の締付け金具２５の詳細構成を示す斜視図である。
【図４】（Ａ）及び（Ｂ）は図３の締付け動作部材３３の詳細構成を示す正面図及び側面図である。
【図５】図１のストレート型接続具４の詳細構成を示す縦断面図である。
【図６】接続ホースの配管作業の説明に供する略線図である。
【図７】（Ａ）及び（Ｂ）はドレン管に対する接続作業の説明に供する側面図である。
【図８】（Ａ）、（Ｂ）及び（Ｃ）は締付け金具の締付け作業の説明に供する略線図である。
【図９】（Ａ）及び（Ｂ）は排水管の接続作業の説明に供する側面図である。
【符号の説明】
【００４６】
１……接続ホース、２……ホース本体、３……エルボ型接続具、４……ストレート型接続具、１０……ドレン管、１１……排水管、１５……先端直管部、１５Ａ……内部空間、１６……中間曲管部、１６Ａ……内部空間、１７……内側直管部、１８……ドレン通路、１９……ホース接続部材、２０……突当り段部、２１……締付け金具保持溝、２５……締付け金具、３１……バンド部材、３２……一端部、３３……締付け動作部材、３４……他端部、３５……切欠、３６……ハンドル、３７……シャフト、３８……歯車、３９……筐体、３９Ａ……底板、３９Ｂ……固着金具、４５……直管部、４５Ａ……内部空間、４６……閉塞板部、４６Ａ……連通孔、４７……ホース接続部材、４８……突当り段部、４０……締付け確認用表示部、４９……締付け金具保持溝、５１……天井、５２……空調機。
【図１】
0003142119.tif 000003
【図２】
0003142119.tif 000004
【図３】
0003142119.tif 000005
【図４】
0003142119.tif 000006
【図５】
0003142119.tif 000007
【図６】
0003142119.tif 000008
【図７】
0003142119.tif 000009
【図８】
0003142119.tif 000010
【図９】
0003142119.tif 000011